(57)【要約】【課題】スペースを有効利用することにより、演出のバリエーションを広げるとともに、遊技者が遊技の楽しさを十分に味わうことができるようにする。【解決手段】開示される遊技機の１つであるスロットマシン１は、複数のメインリールと、これら複数のメインリールに対応して設けられ、対応するメインリールをそれぞれ駆動するステッピングモータ２２ａ、２２ｂ及び２２ｃ並びに回胴装置基板２３と、スロットマシン全体を制御するとともに、回胴装置基板２３に複数のメインリールを駆動させるための回胴制御信号を供給するメイン制御基板１６と、ゲームの演出のための制御をするとともに、所定の場合には、回胴装置基板２３に複数のメインリールを駆動させるための回胴演出信号を供給するサブ制御基板４７とを有している。【選択図】図４
2008245818.tif 000002
【特許請求の範囲】
【請求項１】
複数のメインリールと、
前記複数のメインリールに対応して設けられ、対応する前記メインリールをそれぞれ駆動する駆動手段と、
遊技機全体を制御するとともに、前記駆動手段に前記複数のメインリールを駆動させるための第１の制御信号を供給する第１の制御手段と、
ゲームの演出のための制御をするとともに、所定の場合には、前記駆動手段に前記複数のメインリールを駆動させるための第２の制御信号を供給する第２の制御手段と
を有していることを特徴とする遊技機。
【請求項２】
前記複数のメインリールに対応して設けられ、対応する前記メインリールの回転停止をそれぞれ指示するための複数のストップボタンと、
前記複数のメインリールの一斉回転の開始を指示するためのスタートレバーとを備え、
前記複数のメインリールは、各外周面に複数種類の図柄が描かれており、
前記第１の制御手段は、前記複数のストップボタンの全部又は一部が操作された結果、所定の条件の場合には、所定時間、前記スタートレバーの操作を無効とし、
前記第２の制御手段は、前記所定時間内に前記駆動手段に前記第２の制御信号を供給する
ことを特徴とする請求項１に記載の遊技機。
【発明の詳細な説明】
【技術分野】
【０００１】
本発明は、パチンコ店等の遊技場に設置されるスロットマシン等のメダル遊技機、パチンコ遊技機あるいは雀球遊技機、アレンジボール等の弾球遊技機などの遊技機に関する。
【背景技術】
【０００２】
遊技機の１つであるスロットマシンには、従来、以下に示す構成を有するものがあった。即ち、このスロットマシンは、複数種類の図柄を表示した第１リールを複数並設し、停止時の図柄の組み合わせにより当該遊技の遊技結果を表示するための第１リール群と、複数種類の図柄を表示した第２リールを、第１リールの数と同数だけ並設し、その回転若しくは停止動作又は停止時の図柄の組み合わせのうち少なくとも１つによって、当該遊技における演出を行うための第２リール群と、各第１リールを始動させるためのスタートスイッチと、第１リールの数と同数だけ設けられ、対応する第１リールの回転を停止させるためのストップスイッチとを備えている。
【０００３】
このスロットマシンでは、各第１リールの直径は、各第２リールの直径より小さく形成されており、前面側から見て、スタートスイッチ及びストップスイッチの上部に第２リール群が配置され、その第２リール群からスタートスイッチ及びストップスイッチに対して遠ざかる側に第１リール群が配置されている。
【０００４】
また、このスロットマシンでは、スタートスイッチが操作されたときに役の抽選を行う役抽選手段と、第１リール停止制御手段と、第２リール動作制御手段とを備えている。第１リール停止制御手段は、役抽選手段による役の抽選結果に基づいて、ストップスイッチが操作されたときに、そのストップスイッチに対応する第１リールを停止させるように制御するとともに、役抽選手段による役の抽選においていずれかの役に当選したときは、ストップスイッチが操作された後に第１リールが停止するまでの最大移動図柄数の範囲内においてその役に対応する図柄の組み合わせを有効ラインに停止させるように制御している。
【０００５】
一方、第２リール停止制御手段は、スタートスイッチが操作されたことに対応して各第２リールを始動させるとともに、ストップスイッチが操作されたことに対応して、そのストップスイッチに対応する第２リールを、役抽選手段による役の抽選結果及び第１リール停止制御手段による第１リールの停止状態に基づいて停止させるように制御している（例えば、特許文献１参照。）。
【０００６】
【特許文献１】特開２００４−３５１０２６号公報（請求項１、図１）
【発明の開示】
【発明が解決しようとする課題】
【０００７】
上記特許文献１に記載されたスロットマシンでは、ゲーム用リールの他に演出用リールを設けているが、いずれもリールであることには変わりはないので、演出の種類は同じであり、演出のバリエーションに欠けるという問題がある。また、ゲーム用リール及び演出用リールは、いずれも、略円筒状を呈した複数のリール、これらを回転駆動する複数のステッピングモータ及び、各リールの外周面に描かれた図柄を背後から照光するための複数のバックランプが必要である。従って、スロットマシンの前扉にはこれらを取り付けるために多くのスペースが必要であり、その分、他の演出装置を取り付けることができないという問題がある。この結果、多彩な演出を行うことができず、遊技の興趣を向上させることができない。
上記した不都合は、スロットマシンだけでなく、スロットマシン以外のメダル遊技機、パチンコ遊技機あるいは雀球遊技機、アレンジボール等の弾球遊技機などの他の遊技機についても、同様に当てはまる。
【０００８】
本発明は、上述した事情に鑑みてなされたものであり、上述のような課題を解決することができる遊技機を提供することを目的とする。
【課題を解決するための手段】
【０００９】
上記課題を解決するために、請求項１に記載の発明に係る遊技機は、複数のメインリールと、前記複数のメインリールに対応して設けられ、対応する前記メインリールをそれぞれ駆動する駆動手段と、遊技機全体を制御するとともに、前記駆動手段に前記複数のメインリールを駆動させるための第１の制御信号を供給する第１の制御手段と、ゲームの演出のための制御をするとともに、所定の場合には、前記駆動手段に前記複数のメインリールを駆動させるための第２の制御信号を供給する第２の制御手段とを有していることを特徴としている。
【００１０】
また、請求項２に記載の発明は、請求項１に記載の遊技機に係り、前記複数のメインリールに対応して設けられ、対応する前記メインリールの回転停止をそれぞれ指示するための複数のストップボタンと、前記複数のメインリールの一斉回転の開始を指示するためのスタートレバーとを備え、前記複数のメインリールは、各外周面に複数種類の図柄が描かれており、前記第１の制御手段は、前記複数のストップボタンの全部又は一部が操作された結果、所定の条件の場合には、所定時間、前記スタートレバーの操作を無効とし、前記第２の制御手段は、前記所定時間内に前記駆動手段に前記第２の制御信号を供給することを特徴としている。
【発明の効果】
【００１１】
本発明によれば、演出用リールが設けられていたスペースに違う種類の演出手段を設けることができるので、従来と比べて、演出のバリエーションが広がる。また、遊技者とっては、所定の場合、図柄が揃うか否かという遊技本来の目的で設けられている複数のメインリールが演出の目的で使用される。このため、遊技者の期待感が高まり、演出効果を十分に発揮でき、遊技の興趣を向上させることができる。
【発明を実施するための最良の形態】
【００１２】
図１は、本発明の実施の形態に係る遊技機の１つであるスロットマシン１の外観構成を示す正面図、図２は、図１に示すスロットマシン１の前扉３の内部構成を示す背面図である。また、図３は、図１に示すスロットマシン１の筐体２の内部構成を示す正面図、図４は、図１に示すスロットマシン１の電気的構成を示すブロック図である。本実施の形態に係るスロットマシン１は、全体形状が略長方形状を呈している筐体２と、この筐体２の開口部を塞ぐようにして蝶番機構４（図２参照）により開閉可能に取り付けられた前扉３とを備えている。
【００１３】
図３に示すように、筐体２内の中央からやや下端寄りにおいて、側板２ａと側板２ｂとの間に架設された棚板１１の上面には、回胴装置１２が固設されている。この回胴装置１２は、左リール２１ａ、中リール２１ｂ及び右リール２１ｃを備えている。左リール２１ａ、中リール２１ｂ及び右リール２１ｃは、いずれも略円筒状を呈しており、それぞれが回転自在に、かつ、各回転軸が略同一直線上に位置するように並設されている。左リール２１ａ、中リール２１ｂ及び右リール２１ｃの各外周面には、複数種類の図柄が入賞役に応じて１個又は数個ずつ略等間隔に描かれている。但し、図柄の配列は、左リール２１ａ、中リール２１ｂ及び右リール２１ｃそれぞれで異なっている。これら、左リール２１ａ、中リール２１ｂ及び右リール２１ｃは、請求項１及び２における「メインリール」に対応している。
【００１４】
ここで、入賞役について説明する。入賞役には、一般に、特別役、特定役、小役、リプレイ等がある。特別役とは、通常遊技とは異なる遊技であって遊技者に有利な複数回の特別遊技に移行させるための役である。通常遊技における役の抽選において特別役に当選し、特別役の図柄の組み合わせが有効ラインに停止したとき、即ち特別役が入賞したことを条件として、通常遊技から特別遊技に移行させる。特別遊技は、通常遊技以上にメダル獲得枚数期待値が大きく、遊技者にとって有利となる遊技である。
【００１５】
特別遊技には、例えば、ＢＢ（ビックボーナス）ゲーム及びＲＢ（レギュラーボーナス）ゲームが含まれる。これらの特別遊技では、いずれも、上限遊技回数が予め定められている。従って、遊技者は、特別遊技の上限遊技回数を最大限に利用して、当選役をできるだけ多く入賞させることにより、より多くのメダル獲得を目指すこととなる。
【００１６】
また、特定役（ＳＢ（シングルボーナス））とは、１回の特別遊技に移行させるための役である。小役とは、所定枚数のメダルを遊技者に払い出す役であり、例えば複数種類設けられている。リプレイとは、前の遊技で投入したメダル枚数を維持した再遊技を行う権利を遊技者に与える役である。
【００１７】
図３に示す左リール２１ａ、中リール２１ｂ及び右リール２１ｃの各回転軸には、ステッピングモータ２２ａ、２２ｂ及び２２ｃ（図４参照）がそれぞれ連結されている。左リール２１ａ、中リール２１ｂ及び右リール２１ｃは、対応するステッピングモータ２２ａ、２２ｂ及び２２ｃによってそれぞれ駆動されて回転する。左リール２１ａ、中リール２１ｂ及び右リール２１ｃの各内周内側には、上下に連続する複数の図柄を背後から照光するためのバックランプ（図示略）がそれぞれ固定されている。また、回胴装置１２の上面には、図３には示さないが、回胴装置基板２３（図４参照）が固設されている。
【００１８】
回胴装置１２の下方であって、筐体２の底板２ｃの上面略中央には、ホッパ装置１３が固設されている。ホッパ装置１３は、前扉３の操作卓３ａに穿設されたメダル投入口３１ａ（図１参照）から投入されたメダル（図示略）を貯留するとともに、入賞配当等の際にメダルを払い出す。このホッパ装置１３の図中右隣の底板２ｃ上面には、オーバーフロータンク１４が固設されている。オーバーフロータンク１４には、ホッパ装置１３から溢れたメダルが収容される。一方、ホッパ装置１３の図中左隣の底板２ｃ上面には、電源装置１５が固設されている。
【００１９】
また、回胴装置１２の上方であって、筐体２の背板２ｄには、メイン制御基板１６が固設されている。メイン制御基板１６は、スロットマシン１の各部を制御する。メイン制御基板１６は、中央処理装置（ＣＰＵ）６１、ＲＯＭ６２、ＲＡＭ６３、インターフェイス（Ｉ／Ｆ）回路６４等を有するマイコンを中心として構成されている。
【００２０】
一方、図１に示すように、前扉３の前面中央からやや下端寄りには、遊技者側に突出して、操作卓３ａが前扉３と一体的に形成されている。前扉３は、例えば、硬質プラスチック等から構成されている。操作卓３ａの段部３ａａの図中右端近傍には、メダル投入部３１が形成されている。メダル投入部３１の略中央には、遊技者がメダルを投入するためのメダル投入口３１ａが穿設されている。
【００２１】
一方、操作卓３ａの段部３ａａの左端近傍に所定距離離れてそれぞれ穿設された２つの貫通孔（図示略）には、１ベットボタン３２及びマックスベットボタン３３がそれぞれ嵌合されている。１ベットボタン３２及びマックスベットボタン３３は、スロットマシン１の１ゲームに賭けるメダルの枚数を指示するためのものである。つまり、遊技者が１ベットボタン３２を押圧操作することにより、内部的に貯留されているメダルから１枚のメダルが当該ゲームに対して賭けられる。同様に、遊技者がマックスベットボタン３３を押圧操作することにより、内部的に貯留されているメダルから最大枚数（通常、３枚）のメダルが当該ゲームに対して賭けられる。
【００２２】
また、操作卓３ａの左端近傍に穿設された貫通孔（図示略）には、精算ボタン３４が嵌合されている。精算ボタン３４は、ゲームに使用するためにメダル投入口３１ａから投入されたメダルをキャンセルして払い出させることを指示するとともに、メイン制御基板１６が内部貯留したメダルを清算して払い出させることを指示するためのものである。
【００２３】
さらに、操作卓３ａにおいて、上記精算ボタン３４の図中右隣には、スタートレバー３５が固設されている。スタートレバー３５は、上記回胴装置１２を構成する左リール２１ａ、中リール２１ｂ及び右リール２１ｃの一斉回転の開始を指示するためのものである。このスタートレバー３５は、先端に球形状を呈する操作ノブを有する揺動可能な操作桿を備えている。スタートレバー３５は、遊技者により操作されていない状態では、操作桿が操作卓３ａの正面に対して直交する姿勢を保持している（オフ状態）。遊技者が操作ノブを把持して操作桿を上下左右のいずれかの方向に傾倒操作すると、スタートレバー３５はオン状態となる。その後、遊技者が操作桿から手を離すと、内蔵された図示せぬスプリングの付勢力によって操作桿が元の位置に戻り、スタートレバー３５は再びオフ状態となる。
【００２４】
また、操作卓３ａの正面略中央には、ストップボタン３６ａ、３６ｂ及び３６ｃがそれぞれ所定間隔離れて並設されている。ストップボタン３６ａ、３６ｂ及び３６ｃは、上記左リール２１ａ、上記中リール２１ｂ及び上記右リール２１ｃの配列にそれぞれ対応しており、対応する上記左リール２１ａ、上記中リール２１ｂ又は上記右リール２１ｃのそれぞれの回転停止をそれぞれ指示するためのものである。
【００２５】
一方、操作卓３ａの図中右端近傍には、前扉３を開錠するための鍵（図示略）が挿入される鍵穴３７が穿設されている。この鍵穴３７にスロットマシン１の管理者等が所定の鍵を挿入して開錠操作すると、蝶番機構４によって筐体２に取り付けられている前扉３を上記蝶番機構４を軸として前方へ開くことができる。一方、スロットマシン１の管理者等が前扉３を筐体２側に閉じ、前扉３の上記鍵穴３７近傍を筐体２側に押し付ける操作をすると、自動的に施錠される。
【００２６】
操作卓３ａの上方には、中パネルユニット４１が取り付けられている。この中パネルユニット４１の略中央には、筐体２内の略中央に固設された回胴装置１２に対応して、略長方形状を呈する透明な表示窓４１ａが形成されている。このため、遊技者は、回胴装置１２を構成する左リール２１ａ、中リール２１ｂ及び右リール２１ｃがそれぞれ停止した状態において、上記表示窓４１ａから、各リール２１ａ、２１ｂ及び２１ｃのそれぞれの外周面に描かれた縦３行、横３列の図柄を目視することができる。
【００２７】
中パネルユニット４１の左右には、サイドランプ４２ａ及び４２ｂが取り付けられている。また、中パネルユニット４１の上方には、上パネル部４３が設けられている。この上パネル部４３は、上部ランプ４３ａ、放音部４３ｂ及び４３ｃ並びに画像表示部４３ｄ等から概略構成されている。上部ランプ４３ａは、前扉３の上端略中央に取り付けられている。
【００２８】
サイドランプ４２ａ及び４２ｂ並びに上部ランプ４３ａは、それぞれ高輝度の発光ダイオード（ＬＥＤ）等を内蔵している。後述するサブ制御基板４７（図２及び図４参照）は、リーチや大当たり等の際に遊技者の視覚に訴える演出を行うために、サイドランプ４２ａ及び４２ｂ並びに上部ランプ４３ａをそれぞれ点灯又は点滅させる。
【００２９】
放音部４３ｂ及び４３ｃは、前扉３の左右それぞれの端部３ｂ及び３ｃ近傍であって、中パネルユニット４１の上部に接して取り付けられている。放音部４３ｂ及び４３ｃは、それぞれスピーカ４３ｂａ及び４３ｃａ（図２参照）を内蔵している。後述するサブ制御基板４７（図２及び図４参照）は、ゲーム中に遊技者の聴覚に訴える演出を行うために、当該ゲームの進行に応じて選択した効果音や楽音等を放音部４３ｂ及び４３ｃから放出させる。
【００３０】
上記した放音部４３ｂと放音部４３ｃとの間には、画像表示部４３ｄが設けられている。画像表示部４３ｄは、例えば、液晶パネル又はプラズマディスプレイパネル（ＰＤＰ）等のディスプレイを有している。後述するサブ制御基板４７（図２及び図４参照）は、当該ゲームにストーリー性を与えたり、遊技者に内部当選結果を暗示して期待感を惹起させたりする等の演出を行うために、画像表示部４３ｄにゲームの進行に応じて選択した動画像又は静止画像を表示させる。
【００３１】
一方、操作卓３ａの下方には、下パネル４４が取り付けられている。下パネル４４には、スロットマシン１のモデルタイプ等を遊技者へ認識させるため、例えば登場キャラクターの絵等が描かれている。
【００３２】
さらに、下パネル４４の下方、即ち、前扉３の下端には、受皿ユニット４５が前扉３と一体的に形成されている。受皿ユニット４５の図中右端から左端近傍にかけて、メダルを貯留するための受け皿４５ａが前扉３と一体的に形成されている。受皿ユニット４５の背板４５ｂのうち、上記受け皿４５ａの左右端近傍には、放音部４５ｃ及び４５ｄがそれぞれ設けられている。放音部４５ｃ及び４５ｄは、それぞれスピーカ４５ｃａ及び４５ｄａ（図２参照）を内蔵している。後述するサブ制御基板４７（図２及び図４参照）は、ゲーム中に遊技者の聴覚に訴える演出を行うために、当該ゲームの進行に応じて選択した効果音や楽音等を放音部４５ｃ及び４５ｄから放出させる。
【００３３】
また、受皿ユニット４５の背板４５ｂの中央やや左寄りには、入賞時にメダルが排出されたり、後述するメダルセレクタ５０（図２及び図４参照）により不適であるとして排除され落下したメダル等が排出されたりするメダル払出口４５ｅが穿設されている。メダル払出口４５ｅは、略長方形状を呈している。受皿ユニット４５の左端近傍には、遊技者の喫煙に供するための灰皿４６が設けられている。
【００３４】
次に、前扉３の背面側の構成について、図２を参照して説明する。図２において、図１の各部に対応する部分には同一の符号を付け、その説明を省略する。前扉３の背面の上端近傍、即ち、図１に示す画像表示部４３ｄの背面側には、サブ制御基板４７が固設されている。サブ制御基板４７は、主として、ゲームの演出に関して、前扉３に取り付けられている各部を制御する。サブ制御基板４７は、ＣＰＵ７１、ＲＯＭ７２、ＲＡＭ７３、インターフェイス（Ｉ／Ｆ）回路７４等を有するマイコンを中心として構成されている。ＲＯＭ７２には、後述する通常時演出内容やウェイト時演出内容等の各種の演出パターンが予め記憶されている。このＲＯＭ７２は、演出パターン記憶手段と呼ぶことができる。
【００３５】
サブ制御基板４７の両端近傍には、上記した放音部４３ｂ及び４３ｃをそれぞれ構成するスピーカ４３ｂａ及び４３ｃａがそれぞれ取り付けられている。サブ制御基板４７の下方であって、表示窓４１ａの上方には、中パネルユニット４１を構成するリール照明部４８が取り付けられている。リール照明部４８は、例えば、冷陰極蛍光管等を有し、左リール２１ａ、中リール２１ｂ及び右リール２１ｃの各外周面を照明する。一方、表示窓４１ａの下方には、中パネルユニット４１を構成する中央表示基板４９が取り付けられている。
【００３６】
中央表示基板４９の図中左端近傍、即ち、図１に示すメダル投入部３１の背面側には、メダルセレクタ５０が取り付けられている。メダルセレクタ５０は、上記メダル投入部３１から投入されたメダルの適否を判別し振り分ける装置である。メダルセレクタ５０は、投入されたメダルが適正であると判定した場合、上記中央表示基板４９を介してメイン制御基板１６へメダル受付信号を供給する。メイン制御基板１６は、メダル受付信号を受信するごとにクレジットを加算して内部的にメダルを貯留する。
【００３７】
メダルセレクタ５０の図中右隣には、メダルガイド部５１が設けられている。このメダルガイド部５１は、上記メダルセレクタ５０によって選別され検出された適正なメダルを筐体２に固設されているホッパ装置１３へ案内する。また、メダルセレクタ５０の下方には、フローシュート５２が設けられている。このフローシュート５２は、上記メダルセレクタ５０により不適であるとして排除され落下したメダル又は異物を、前扉３の受皿ユニット４５の背板４５ｂに穿設されているメダル払出口４５ｅへ案内する。さらに、このフローシュート５２と一体的にメダル払出通路５３が設けられている。メダル払出通路５３は、前扉３が施錠された状態において、筐体２に固設されているホッパ装置１３のメダル排出口（図示略）に当接し、ホッパ装置１３から払い出されたメダルを、上記メダル払出口４５ｅへ案内する。メダル払出通路５３の図中右隣には、上記した放音部４５ｃを構成するスピーカ４５ｃａが取り付けられている。一方、前扉３の背面の図中左下端近傍には、上記した放音部４５ｄを構成するスピーカ４５ｄａが取り付けられている。
【００３８】
次に、本発明の実施の形態に係るスロットマシン１の電気的構成について、図４に示すブロック図を参照して、説明する。なお、図４では、サイドランプ４２ａ及び４２ｂ並びに上部ランプ４３ａについて、便宜上、単に「ランプ」として示している。メイン制御基板１６では、ＣＰＵ６１は、ＲＯＭ６２に予め記憶されているシステムプログラム及びスロットマシンゲーム用のプログラムを読み出し、ＲＡＭ６３を用いるなどして実行し、回胴装置基板２３、サブ制御基板４７、中央表示基板４９及び電源装置基板８１にそれぞれ所定の命令を含む制御信号を供給してそれぞれに分散制御を行わせることにより、スロットマシン１全体を集中制御する。また、メイン制御基板１６は、所定の条件が成立した場合には、後述するマルチプレクサ２４に対して、例えば、”Ｈ”レベルの切換信号を供給することにより、サブ制御基板４７から供給される回胴演出信号の回胴装置基板２３への供給を許可する。
【００３９】
Ｉ／Ｆ回路６４は、メイン制御基板１６と、サブ制御基板４７、回胴装置基板２３、中央表示基板４９及び電源装置基板８１との間で行われる信号の送受信の際に、タイミングの制御等を行う。但し、メイン制御基板１６とサブ制御基板４７との間では、メイン制御基板１６からサブ制御基板４７への信号の送信は行われるが、サブ制御基板４７からメイン制御基板１６への信号の送信は行われない。
【００４０】
中央表示基板４９は、前扉３の操作卓３ａに取り付けられている、１ベットボタン３２、マックスベットボタン３３、精算ボタン３４、スタートレバー３５、ストップボタン３６ａ、３６ｂ及び３６ｃ等がそれぞれ操作されたことにより発生する各種信号を受信してメイン制御基板１６へ転送する中継基板として機能する。また、中央表示基板４９は、メダルセレクタ５０から出力されるメダル受付信号等を受信してメイン制御基板１６へ転送することにより、メダル投入部３１に投入されたメダルの枚数、異物の投入や目詰まりの発生等を報知する。
【００４１】
サブ制御基板４７では、ＣＰＵ７１は、ＲＯＭ７２に予め記憶されているプログラム及びデータ等を読み出し、前扉３各部の制御、特に遊技者に対する演出の制御を行う。ＲＯＭ７２には、遊技中の演出（役の当選可能性の告知演出等）に必要なプログラム及びデータ等が予め記憶されている。上記ＲＯＭ７２に予め記憶されているデータ等には、画像表示部４３ｄに表示されるキャラクタ、文字及び背景等の動画像データ及び静止画像データも含まれている。一方、ＲＡＭ６３は、ＣＰＵ７１等が各種の制御を行ったり、画像を作成したりする時に用いられ、データ等が一時的に記憶される。上記ＲＡＭ７３に記憶されるデータ等には、ＲＯＭ７２から読み出したデータ等に基づき表示すべき画像データも含まれている。
【００４２】
これにより、サブ制御基板４７は、メイン制御基板１６から演出に関する制御信号が供給された場合には、サイドランプ４２ａ及び４２ｂ、上部ランプ４３ａ並びに放音部４３ｂ、４３ｃ、４５ｃ及び４５ｄを駆動するとともに、画像表示部４３ｄに演出に関する動画像データ又は静止画像データを供給することにより、遊技者の視覚及び聴覚に訴える演出を行う。また、サブ制御基板４７は、所定の条件が成立した場合には、回胴装置１２を用いた演出を行うために、左リール２１ａ、中リール２１ｂ及び右リール２１ｃを駆動するための回胴駆動（励磁）パルスデータを含む回胴演出信号を後述するマルチプレクサ２４へ供給する。
【００４３】
回胴装置基板２３は、左リール２１ａ、中リール２１ｂ及び右リール２１ｃのそれぞれの回転と制動及び停止の制御を行うために、マルチプレクサ２４を介して、メイン制御基板１６から供給される回胴駆動（励磁）パルスデータを含む回胴制御信号又は、サブ制御基板４７から供給される回胴駆動（励磁）パルスデータを含む回胴演出信号に基づいて、ステッピングモータ２２ａ、２２ｂ及び２２ｃへそれぞれ４相の駆動パルス信号を供給するとともに、図示せぬバックランプの点灯、消灯あるいは点滅を行う。
【００４４】
マルチプレクサ２４は、例えば、メイン制御基板１６から供給される切換信号が"Ｌ"レベルの場合、メイン制御基板１６から供給される回胴制御信号を回胴装置基板２３に供給し、上記切換信号が"Ｈ"レベルの場合、サブ制御基板４７から供給される回胴演出信号を回胴装置基板２３に供給する。このマルチプレクサ２４は、例えば、回胴装置基板２３上に設けられている。
【００４５】
電源装置基板８１には、電源装置１５で発生される各種電源電圧をホッパ装置１３その他の各部に配電する配電回路（図示略）が形成されており、この配電回路からスロットマシン１の動作に必要な電源を供給する。また、電源装置基板８１は、メイン制御基板１６からメダルの払い出しをすべき旨の制御信号が供給された場合には、ホッパ装置１３を制御してメダルの払い出しを行わせる。
【００４６】
次に、上記構成を有するスロットマシン１が行う動作について説明する。このスロットマシン１は、先のゲームにおいて入賞しメダルの払い出しが完了した時、または先のゲームにおいてハズレが確定すると待機状態となる。この状態において、遊技者により１ベットボタン３２又はマックスベットボタン３３のいずれかが押圧操作されると、内部に貯留したメダル（クレジット）から当該ゲームにメダルが賭けられゲームが開始する。この場合、メイン制御基板１６は、マルチプレクサ２４に"Ｌ"レベルの切換信号を供給している。従って、マルチプレクサ２４は、メイン制御基板１６から供給される回胴制御信号を回胴装置基板２３へ供給することになる。
【００４７】
メイン制御基板１６は、ゲーム開始の状態でスタートレバー３５の作動を検知すると、左リール２１ａ、中リール２１ｂ及び右リール２１ｃを一斉に回転させ始める。この動作と同時に、メイン制御基板１６は、例えば、内部で乱数を発生させた後に一の乱数を取得するとともに、ＲＯＭ６２に記憶されている役抽選テーブル内の取得した乱数が属する領域に基づいて、役の当選の有無及び当選役を判定する。
【００４８】
上記役抽選テーブルには、取得可能な乱数値に対して、特別役当選領域、ＳＢ当選領域、小役当選領域、リプレイ当選領域、及び非当選（ハズレ）領域等が、所定の割合で設定されている。即ち、役抽選テーブルには、乱数値と各役との関係が定められている。そして、メイン制御基板１６が取得した上記乱数値が含まれる領域の役が、役抽選の結果、上記当選役となり、メイン制御基板１６は、その抽選の結果をＲＡＭ６３に記憶するとともに、上記抽選の結果を示す情報、例えばどの役が抽選したかを示す情報やどのような構成の役抽選テーブルが用いられたかの情報等とともに、演出に関する制御信号をサブ制御基板４７にそれぞれ送信する。
【００４９】
サブ制御基板４７は、メイン制御基板１６から送信された当該遊技の抽選で用いた役抽選テーブルの情報、当選した役の情報等、及び演出に関する制御信号を受信すると、これらの情報に基づいて遊技中の演出パターン（通常時演出内容）をＲＯＭ７２から選択する。これにより、サブ制御基板４７は、選択した演出パターンに基づいて、サイドランプ４２ａ及び４２ｂ、上部ランプ４３ａ並びに放音部４３ｂ、４３ｃ、４５ｃ及び４５ｄを駆動するとともに、画像表示部４３ｄに演出に関する動画像データ又は静止画像データを供給することにより、遊技者の視覚、聴覚に訴える演出を行う。例えば、サブ制御基板４７は、サイドランプ４２ａ及び４２ｂ並びに上部ランプ４３ａをそれぞれ点灯又は点滅させたり、画像表示部４３ｄに動画像又は静止画像を表示させたり、あるいは、放音部４３ｂ、４３ｃ、４５ｃ及び４５ｄから効果音や楽音等を放出させたりする。
【００５０】
次に、遊技者がストップボタン３６ａ、３６ｂ及び３６ｃを任意の順番で押圧操作すると、メイン制御基板１６は、この押圧操作に応じて、順次、対応する左リール２１ａ、中リール２１ｂ又は右リール２１ｃを停止させる。これにより、遊技者は、左リール２１ａ、中リール２１ｂ及び右リール２１ｃがそれぞれ停止した状態において、前扉３を構成する中パネルユニット４１の表示窓４１ａから、各リール２１ａ、２１ｂ及び２１ｃのそれぞれの外周面に描かれた縦３行、横３列の図柄を目視することができる。
【００５１】
このような状態において、表示窓４１ａから目視可能な複数の図柄の中に、「チャンス目」又は「リーチ目」が出現した場合には、メイン制御基板１６は、マルチプレクサ２４に供給している切換信号を"Ｌ"レベルから”Ｈ”レベルに変更して供給するとともに、サブ制御基板４７に対して「チャンス目」又は「リーチ目」が出現した旨を報知する。上記切換信号が"Ｌ"レベルから”Ｈ”レベルに変更されている間は、マルチプレクサ２４は、サブ制御基板４７から供給される回胴演出信号を回胴装置基板２３へ供給することになる。
【００５２】
ここで、「チャンス目」とは、ボーナス入賞の当選成立の可能性を遊技者に示唆するものであり、特定の小役の取りこぼしやハズレであっても出現する出目等をいう。一方、「リーチ目」とは、通常遊技中には出現しない出目、例えば次の遊技以降において特定遊技が実行される旨を意味する出目等をいう。これらの「チャンス目」及び「リーチ目」は、所定時間、対応する左リール２１ａ、中リール２１ｂ又は右リール２１ｃが停止して当該「チャンス目」又は「リーチ目」に対応した図柄を表示した後、再び停止状態にある左リール２１ａ、中リール２１ｂ又は右リール２１ｃが回転を開始する。上記左リール２１ａ、中リール２１ｂ又は右リール２１ｃが停止している状態を「ウェイト」という。この「ウェイト」の時間は、数秒から３０秒程度まである。
【００５３】
メイン制御基板１６から「チャンス目」又は「リーチ目」が出現した旨が報知されたサブ制御基板４７は、この報知に基づいてウェイト時の演出パターン（ウェイト時演出内容）をＲＯＭ７２から選択する。これにより、サブ制御基板４７は、選択した演出パターンに基づいて、例えば、停止状態にある左リール２１ａ、中リール２１ｂ又は右リール２１ｃのいずれかを逆転させるための回胴駆動（励磁）パルスデータを含む回胴演出信号を生成し、マルチプレクサ２４に供給する。
【００５４】
これにより、回胴装置基板２３は、サブ制御基板４７からマルチプレクサ２４を介して供給された、例えば、停止状態にある左リール２１ａ、中リール２１ｂ又は右リール２１ｃのいずれかを逆転させる、低速で回転させる、正転及び逆転を所定周期で繰り返す等の制御をするための回胴駆動（励磁）パルスデータを含む回胴演出信号に基づいて、ステッピングモータ２２ａ、２２ｂ及び２２ｃへそれぞれ４相の駆動パルス信号を供給するとともに、図示せぬバックランプの点灯、消灯あるいは点滅を行う。従って、停止状態にある左リール２１ａ、中リール２１ｂ又は右リール２１ｃのいずれかが逆転、低速で回転、正転及び逆転の所定周期での繰り返し等をする。このため、遊技者は、「チャンス目」又は「リーチ目」が出現したことを認識することができる。
【００５５】
上記「ウェイト」の時間が終了すると、メイン制御基板１６は、マルチプレクサ２４に供給している切換信号を"Ｈ"レベルから”Ｌ”レベルに変更して供給する。従って、マルチプレクサ２４は、再び、メイン制御基板１６から供給される回胴制御信号を回胴装置基板２３へ供給することになる。
【００５６】
次に、メイン制御基板１６は、すべての左リール２１ａ、中リール２１ｂ及び右リール２１ｃが停止したことを検知すると、左リール２１ａ、中リール２１ｂ及び右リール２１ｃがそれぞれ停止した状態において、左リール２１ａ、中リール２１ｂ及び右リール２１ｃの各外周面に描かれている図柄の組み合わせが上記ＲＡＭ６３に記憶された入賞役に係る図柄の組み合わせのいずれかと一致しているか否か判定する。
【００５７】
上記判定の結果、上記入賞役に係る図柄の組み合わせのいずれかと一致した図柄の組み合わせが停止した左リール２１ａ、中リール２１ｂ及び右リール２１ｃの各外周面に描かれている図柄の組み合わせの中にある場合には、メイン制御基板１６は、その図柄の組み合わせに対応した入賞を確定し、当該入賞役の種類に応じた配当数のメダルをクレジットに加算する。このとき、入賞の配当によりクレジットが上限を超える場合には、メイン制御基板１６は、ホッパ装置１３を作動させて、超過分のメダルをメダル払出口４５ｅから受皿ユニット４５へ払い出す。
【００５８】
これと同時に、メイン制御基板１６は、確定した入賞役に関する情報をサブ制御基板４７に送信する。サブ制御基板４７は、メイン制御基板１６から送信された入賞役に関する情報を受信すると、この情報に基づいて、上記入賞役に応じた演出パターンをＲＯＭ７２から選択する。これにより、サブ制御基板４７は、選択した演出パターンに基づいて、サイドランプ４２ａ及び４２ｂ並びに上部ランプ４３ａをそれぞれ点灯又は点滅させたり、画像表示部４３ｄに動画像又は静止画像を表示させたり、あるいは、放音部４３ｂ、４３ｃ、４５ｃ及び４５ｄから効果音や楽音等を放出させたりする。
【００５９】
以上説明したように、スロットマシン１の遊技者は、１ベットボタン３２又はマックスベットボタン３３、スタートレバー３５及びストップボタン３６ａ、３６ｂ及び３６ｃを順次操作することにより、左リール２１ａ、中リール２１ｂ及び右リール２１ｃを回転・停止させる遊技操作を行う。これにより、遊技者は、表示窓４１ａから目視することができる縦３行、横３列の図柄のうち、所定の組み合わせのいずれもが上記入賞役に係る図柄の組み合わせのいずれとも一致しなければ賭けたメダルを失う。一方、遊技者は、上記縦３行、横３列の図柄のうち、所定の組み合わせのいずれかが上記入賞役に係る図柄の組み合わせのいずれかと一致した場合には、入賞が成立し、賭けた枚数以上のメダルを獲得することができる。
【００６０】
このように、本発明の実施の形態によれば、回胴装置基板２３の前段にマルチプレクサ２４を設けるとともに、このマルチプレクサ２４にメイン制御基板１６から供給される回動制御信号と、サブ制御基板４７から供給される回動演出信号とを入力している。そして、「チャンス目」又は「リーチ目」が出現した「ウェイト」状態のときにだけ、サブ制御基板４７から供給された回動演出信号に基づいて、回胴装置１２を制御している。
【００６１】
従って、上記特許文献１に記載されたスロットマシンのように、ゲーム用リール（メインリール）と同じ種類の演出用リールを設ける必要がないため、演出用リールが設けられていたスペースに違う種類の演出手段（本実施の形態の場合、画像表示部４３ｄ）を設けることができる。これにより、従来と比べて、演出のバリエーションが広がる。また、遊技者は、「チャンス目」又は「リーチ目」が出現したことを、単に対応する左リール２１ａ、中リール２１ｂ又は右リール２１ｃが停止したことだけで認識するのではなく、逆転、低速で回転、正転及び逆転の所定周期での繰り返し等により、十分に興味を持って認識することができる。この結果、遊技者の期待感が高まり、演出効果を十分に発揮でき、遊技の興趣を向上させることができる。
【００６２】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の実施の形態では、左リール２１ａ、中リール２１ｂ又は右リール２１ｃを対応するステッピングモータ２２ａ、２２ｂ及び２２ｃにより駆動する例を示したが、これに限定されず、他の種類のモータで駆動しても良い。
【００６３】
また、上述の実施の形態では、メイン制御基板１６がマルチプレクサ２４に切換信号を供給する例を示したが、これに限定されず、サブ制御基板４７がマルチプレクサ２４に切換信号を供給しても良い。
また、上述の実施の形態では、「チャンス目」又は「リーチ目」が出現した「ウェイト」状態のときにだけ、サブ制御基板４７から供給された回動演出信号に基づいて、回胴装置１２を制御する例を示したが、これに限定されない。例えば、内部中（ボーナス成立後）やメイン制御基板１６が何らかの演出を行うと決定した場合にも、所定時間、スタートレバー３５の操作を無効とし、この所定時間内にサブ制御基板４７から供給された回動演出信号に基づいて、回胴装置１２を制御するように構成しても良い。
また、上述の実施の形態では、本発明をスロットマシン１等の遊技機に適用する例を示したが、これに限定されず、本発明は、スロットマシン以外のメダル遊技機、パチンコ遊技機あるいは雀球遊技機、アレンジボール等の弾球遊技機などの他の遊技機にも適用することができる。
【図面の簡単な説明】
【００６４】
【図１】本発明の実施の形態に係る遊技機の１つであるスロットマシン１の外観構成を示す正面図である。
【図２】図１に示すスロットマシン１の前扉３の内部構成を示す背面図である。
【図３】図１に示すスロットマシン１の筐体２の内部構成を示す正面図である。
【図４】図１に示すスロットマシン１の電気的構成を示すブロック図である。
【符号の説明】
【００６５】
１…スロットマシン、２…筐体、２ａ，２ｂ…側板、２ｃ…底板、２ｄ…背板、３…前扉、３ａ…操作卓、３ａａ…段部、３ｂ，３ｃ…端部、４…蝶番機構、１１…棚板、１２…回胴装置、１３…ホッパ装置、１４…オーバーフロータンク、１５…電源装置、１６…メイン制御基板（第１の制御手段）、２１ａ…左リール、２１ｂ…中リール、２１ｃ…右リール、２２ａ，２２ｂ，２２ｃ…ステッピングモータ（駆動手段）、２３…回胴装置基板（駆動手段）、２４…マルチプレクサ、３１…メダル投入部、３１ａ…メダル投入口、３２…１ベットボタン、３３…マックスベットボタン、３４…精算ボタン、３５…スタートレバー、３６ａ，３６ｂ，３６ｃ…ストップボタン、３７…鍵穴、４１…中パネルユニット、４１ａ…表示窓、４２ａ，４２ｂ…サイドランプ、４３…上パネル部、４３ａ…上部ランプ、４３ｂ，４３ｃ…放音部、４３ｂａ，４３ｃａ…スピーカ、４３ｄ…画像表示部、４４…下パネル、４５…受皿ユニット、４５ａ…受皿、４５ｂ…背板、４５ｃ，４５ｄ…放音部、４５ｃａ，４５ｄａ…スピーカ、４５ｅ…メダル払出口、４６…灰皿、４７…サブ制御基板（第２の制御手段）、４８…リール照明部、４９…中央表示基板、５０…メダルセレクタ、５１…メダルガイド部、５２…フローシュート、５３…メダル払出通路、６１，７１…ＣＰＵ、６２，７２…ＲＯＭ、６３，７３…ＲＡＭ、６４，７４…Ｉ／Ｆ回路、８１…電源装置基板
【図１】
2008245818.tif 000003
【図２】
2008245818.tif 000004
【図３】
2008245818.tif 000005
【図４】
2008245818.tif 000006